(57)【要約】      （修正有）【課題】全体の構成が安定した一枚型加熱機能を備えた電気刺激装置を提供する。【解決手段】本体モジュール１０が本体シート１１と、パッドモジュール２０と、操作モジュール３０と、電気刺激モジュール４０と、加熱モジュール５０とを含む。本体シートは収容空間を有し、パッドモジュールは内面と外面を備えるパッド２１を有し、パッドの外面が本体シートに貼り付けられる。収容空間に対応して貫通エリアが設けられ、操作モジュールは収容空間に内設するシェルを有し、貫通エリアに固定され、シェルに電源装置と電子素子とを内蔵する。電気刺激モジュールはパッドの内面に設けられ、少なくとも２組の電極エリア４１を含む。いずれか一組の電極エリアは一対の電極シートにより構成され、操作モジュールの縦方向中心線両側にそれぞれ分布し、隣接の組となる電極エリアが縦方向に上下して配列される。加熱モジュールはパッドの外面に設けられ、少なくとも２つの加熱エリア５１を含む。【選択図】図１
0003224410.tif 000002
【実用新案登録請求の範囲】
【請求項１】
本体シートと、パッドモジュールと、操作モジュールと、電気刺激モジュールと、加熱モジュールと、を含めた本体モジュールを備え、
前記本体シートが収容空間を有する一体型成形構造を形成し、
前記パッドモジュールがパッドを含む、前記パッドが内面と、外面とを有し、前記外面を前記本体シートに貼り付けて固結され、前記パッドが前記収容空間に対応して貫通エリアを設け、
前記操作モジュールを前記本体シートの前記収容空間に収容して貫通エリアに固定され、前記操作モジュールがシェルを含む、前記シェルに電気接続する電源装置と、電気回路板とを設けられ、前記電気回路板に稼働と制御に用いる電子素子を設けられ、
前記電気刺激モジュールを前記パッドの内面に設け、前記電気刺激モジュールが少なくとも２組の電極エリアを有し、前記電極エリアが該電気回路板と電気接続し、前記いずれか一組の電極エリアが前記操作モジュールの縦方向中心線両側の対応位置にそれぞれ分布し、かつ、隣接した組となる前記電極エリアが縦方向に上下して配列し、前記組となる電極エリアの横方向中心線両側の対応位置に布設され、
前記加熱モジュールが前記パッドの外面に設けていて、前記加熱モジュールが少なくとも２つの加熱エリアを含む、前記２つの加熱エリアが前記電極エリアに対応しており、前記加熱エリアと、前記電気回路板とを電気接続する
ことを特徴とする、一枚型加熱機能を備えた電気刺激装置。
【請求項２】
前記加熱モジュールが温度センサーをさらに含む、前記温度センサーが前記電気回路板と電気接続し、前記温度センサーに加熱エリアの温度を検出するためのセンサーヘッドを有する
ことを特徴とする、請求項１記載の一枚型加熱機能を備えた電気刺激装置。
【請求項３】
前記本体シートに検出プローブの設置と固定させるためのセンサー取り付けスロットを設ける
ことを特徴とする、請求項２記載の一枚型加熱機能を備えた電気刺激装置。
【請求項４】
前記上部シェルの一側にコネクター差し込み口を設け、前記コネクター差し込み口の内側及び／または外側の縁部に防水フランジカーバーを設ける
ことを特徴とする、請求項２記載の一枚型加熱機能を備えた電気刺激装置。
【請求項５】
前記電極エリアに突き出し状の前記電気回路板と電気接続するための電極ピンを有し、前記電極ピンのエッジ部に位置決め孔を設ける
ことを特徴とする、請求項１記載の一枚型加熱機能を備えた電気刺激装置。
【請求項６】
前記それぞれ組となる電極エリアが対となる前記電極シートによって構成し、前記それぞれの電極シートが対または複数の前記電極シートによって構成する
ことを特徴とする、請求項５記載の一枚型加熱機能を備えた電気刺激装置。
【請求項７】
前記加熱エリアに突き出し状の前記電気回路板と電気接続するための電極ピンを設ける
ことを特徴とする、請求項１記載の一枚型加熱機能を備えた電気刺激装置。
【請求項８】
前記電極ピンの上方に導電パッドを設け、前記導電パッドがねじ孔の柱体外面のリング部に位置して、前記電極ピンと前記電気回路板を緊密に固結する
ことを特徴とする、請求項７記載の一枚型加熱機能を備えた電気刺激装置。
【請求項９】
前記位置決め孔の外輪面の前記電極ピンと、電気回路板との間は、導電銅箔と、導電ゴムとをさらに設けており、前記導電銅箔を前記電気回路板に取り付け、前記導電ゴムを前記導電銅箔に設ける
ことを特徴とする、請求項５記載の一枚型加熱機能を備えた電気刺激装置。
【考案の詳細な説明】
【技術分野】
【０００１】
本考案は電気刺激装置に関し、特に加熱機能を有し、かつ、全体の構成が安定した一枚型電気刺激装置に関する。
【背景技術】
【０００２】
電気刺激モジュールは皮膚を介して、低周波パルスによって筋肉の収縮を刺激することによって、皮下微血管の循環とリンパ循環が促進され、皮膚に栄養分を提供して皮膚の質を改善することによって、膠原蛋白品質を向上し、繊維母細胞を刺激し、膠原蛋白の増殖を促進できる。理論上には筋肉タンパク質の増殖を改善できる。現在すでに筋肉運動分野に低周波パルス装置技術に適用されているもののうち、中華人民共和国特許ＣＮ１０７４１２９４８Ａ号（特許文献１）によれば、電気刺激モジュールであって、電極部の出力モードを第１出力期間と、第２出力期間に設定し、２つの出力期間を交互に繰り返し動作させ、前記第１出力期間に筋肉の不完全な強い収縮を引き起こさせると、完全に収縮させる少なくとも一方の第１電気信号を出力し、前記第２出力期間に筋肉の単純収縮と第２電気信号を出力し、このような電極部の動作モードによって、筋肉の疲労物質の排出効果が達成される。
【先行技術文献】
【特許文献】
【０００３】
【特許文献１】中華人民共和国特許ＣＮ１０７４１２９４８Ａ号
【考案の概要】
【考案が解決しようとする課題】
【０００４】
現代の人々は運動による健身と、筋肉訓練を非常に重視している。残念ながら、前述公知の低周波パルス装置には、運動と健身、筋肉訓練の効果を有効に達成できない。その主な原因は、この種の低周波パルス装置の電極部・シートの布設方式および貼り付け位置が利用者にもっとも良い筋肉訓練を提供できるかに関わっている。さらに、係る低周波パルス装置の稼働は有効な加熱補助効果はなく、明らかな効果的運動健身、筋肉訓練を提供できないことから、明らかに理想と言えない。加えて、係る電極部または電極シートに温度を引き上げるには、電流を大きくすることが必需で、そのような電流量は、電極部または電極シートと電気回路との溶接部が温度上昇によって、剥がれや脱落して、逆効果になりかねない。この点について、合わせて改良の必要がある。よって、公知の低周波パルス装置が残した前述欠点の改善は、当業者の解決、克服する重要な目標となっている。
【０００５】
考案人は公知技術の低周波パルス装置が運動健身、筋肉訓練に適用する際の欠点およびその構造設計が理想でない現状について、考案者が解決案の研究開発に取り掛かり、より実用性、かつ経済性を有する一枚型加熱機能を備えた電気刺激装置の開発を目指して、社会に貢献する共に業界の発展促進を図り、種々研究した結果、本考案を思料しました。
【課題を解決するための手段】
【０００６】
本考案の目的は、電気刺激と加熱機能とを備えていて、かつ、緊密に積み上げた構成で全体の厚みの軽薄化を実現した、一枚型加熱機能を備えた電気刺激装置を提供する。
【０００７】
本考案の次の目的は、電気刺激モジュールの電極シートが体の最適位置に布設しているため、運動健身、筋肉訓練の効果を有し、極めて良い実用性と、経済効果を達成できる。
【０００８】
本考案のさらに一つの目的は、電気刺激モジュールに加熱エリアをそれぞれ独立構成で、適切なスペースレイアウトに配列し、より安全、快適な使用効果を有する。
【０００９】
本考案のまた一つの目的は、加熱エリアに安定な固結設計を施し、使用する際の加熱によって、電子素子溶接部の剥がれや分離現象を防止することができ、極めて良い実用効果を達成できる。
【００１０】
本考案が前述目的を達成するために取り入れた技術手段は、本体モジュール、本体シートは一体型成形構造で収容空間を有し、パッドモジュールはパッドを含む本体モジュールを備える。本体シートは内面と、外面を有し、外面を本体シートに貼り付けていて、パッドが収容空間に対応して貫通エリアを設けられ、本体シートの収容空間に設ける操作モジュールが貫通エリアに固定され、操作モジュールがシェルを含む、シェルに電気接続した電源装置と、電気回路板を内設し、電気回路板に電子素子を設け、電気刺激モジュールをパッドの内面に設け、電気刺激モジュールは少なくとも２組の電極エリアを含む、電極エリアが電気回路板と電気接続しており、いずれか一組の電極エリアが操作モジュールの縦方向中心線両側の対応位置にそれぞれ分布し、かつ、隣接する組となる電極エリアが縦方向に上下して配列していて、かつ、組となる電極エリアの横方向中心線両側の対応位置に布設され、加熱モジュールがパッドの外面に設けていて、加熱モジュールが少なくとも２つの加熱エリアを含む、それらの加熱エリアが組となる電極エリアに対応しており、それらの加熱エリアと電気回路板と電気接続されている。
【００１１】
この実施例において、電気刺激モジュールが電気的筋肉刺激（Ｅｌｅｃｔｒｉｃａｌ  Ｍｕｓｃｌｅ  Ｓｔｉｍｕｌａｔｉｏｎ，  ＥＭＳ）または経皮的電気神経刺激  （Ｔｒａｎｓｃｕｔａｎｅｏｕｓ  Ｅｌｅｃｔｒｉｃａｌ  Ｎｅｒｖｅ  Ｓｔｉｍｕｌａｔｉｏｎ，  ＴＥＮＳ）である。
【００１２】
この実施例において、いずれか一組の電極エリアは、発生するパルス電流が一対の正負電極シートに流して放電によって構成する。
この実施例において、加熱モジュールが温度センサーをさらに含む、温度センサーが電気回路板と電気接続し、温度センサーに加熱エリアの温度を検出するためのセンサーヘッドを有する。
【００１３】
この実施例において、本体シートに検出プローブの設置と固定させるためのセンサー取り付けスロットを設けられている。
【００１４】
この実施例において、シェルが上部シェルと、下部シェルを含む。
【００１５】
この実施例において、本体シートの収容空間に凹所空間または貫通口を形成し、本体シートが収容空間の周辺またはその他エリアに複数の凹凸縞によって構成される放熱エリアを設けられている。
【００１６】
この実施例において、上部シェルのエッジ部にそれぞれ少なくとも一つのねじ孔と、固定柱を設け、電気回路板のエッジ部がそれぞれねじ孔と、固定柱のねじ通し孔と、取り付け孔に対応されている。
【００１７】
この実施例において、上部シェルの一側にコネクター差し込み口を設け、コネクター差し込み口の内側及び／または外側の縁部に防水フランジカーバーを設けられている。
【００１８】
この実施例において、下部シェルと、本体シートと、パッドと、上部シェルとを緊密に固結されている。
【００１９】
この実施例において、下部シェルの底部がわずかに突き出した当接リング面を有し、当接リング面をパッド貼り付けられている。
【００２０】
この実施例において、電極エリアに突き出し状の電気回路板と電気接続するための電極ピンを有し、電極ピンのエッジ部に位置決め孔を設けられている。
【００２１】
この実施例において、加熱エリアに突き出し状の電気回路板と電気接続するための正負電極ピンを設けられている。
【００２２】
この実施例において、電極ピンの上方に導電パッドを設け、導電パッドがねじ孔の柱体外面のリング部に位置し、電極ピンと、電気回路板を緊密に固結させるためである。
【００２３】
この実施例において、位置決め孔の外輪面の電極ピンと、電気回路板との間は、導電銅箔と、導電ゴムとをさらに設けており、導電銅箔が電気回路板に取り付け、導電ゴムを導電銅箔に設けられている。
審査官が本考案の技術特徴及び達成する効果にさらなる理解及び認識を図るため、好ましい実施態様図と合わせて、次のとおり詳細説明する。
【図面の簡単な説明】
【００２４】
【図１】本考案の構造組合せ概略図である。
【図２】本考案の分解概略図である。
【図２Ａ】本考案図２の局所拡大概略図である。
【図３】本考案の局所分解概略図（その１）である。
【図４】本考案の局所分解概略図（その２）である。
【図４Ａ】図４のＡ矢印に示す位置の局所拡大図である。
【図４Ｂ】図４のＢ矢印に示す位置の局所拡大図である。
【図５Ａ】本考案の加熱エリアの取り付け孔の構造概略図である。
【図５Ｂ】本考案の電極エリアの位置決め孔の構造概略図である。
【図６】本考案の局所分解概略図（その３）である。
【図７】本考案の組合せ裏面図である。本考案の組み合わせ内面の概略図である。
【考案を実施するための形態】
【実施例】
【００２５】
図１ないし図４、本考案の一枚型加熱機能を備えた電気刺激装置１を参照する。パッドモジュール２０と、操作モジュール３０と、電気刺激モジュール４０と、加熱モジュール５０とを含む本体モジュール１０を備える。本体シート１１が一体型成形構造であり、本体シート１１は可とう性と、快適性を図るため、例えばシリコン部材より形成しても良い。ただし、この限りではない。本体シート１１の両側に、それぞれサイドバンド１１１を接続しても良い。サイドバンド１１１は本体モジュール１０（電気刺激装置１）を体の部位への固定に用いられる。本体シート１１の内面に収容空間１２を設け、収容空間１２に凹所空間を形成しており、他の実施例において、例えば貫通口の形態に形成しても良い。ただし、この限りではない。収容空間１２の周辺部に第１温度滞留エリア１３を設け、本体シート１１の内側の適切な場所に複数の第２温度滞留エリア１４を設け、第１温度滞留エリア１３、第２温度滞留エリア１４が本体シート１１内面の凹凸縞によって形成しており、適度の放熱ができる。さらに、本体シート１１にセンサー取り付けスロット１５を設けられている。
【００２６】
パッドモジュール２０がパッド２１を含む、パッド２１のほぼ中央エリアに貫通エリア２２を設けており、パッド２１の両側にそれぞれ複数の取り付け孔２３を設けて、本体シート１１との固結に用いられる。さらに、パッド２１が内面２１Ａと、外面２１Ｂとを有する。そのうち、内面２１Ａは電気刺激装置１を使用する際に体に当てる面であり、外面２１Ｂは本体シート１１と固結に貼り付ける面である。
【００２７】
操作モジュール３０を本体シート１１の収容空間１２に設け、操作モジュール３０が上部シェル３１と、下部シェル３２と、電源装置３３と、電気回路板３４とを含む。そのうち、上部シェル３１と、下部シェル３２によってシェルを組み合わされ、電源装置３３と、電気回路板３４を収容する。シェルの構成は、この限りではない。上部シェル３１に上部収容空間３１１が内蔵され、上部シェル３１（上部収容空間３１１）の４つのコーナー部にそれぞれ少なくとも一つのねじ孔３１２と、固定柱３１３とを設けるが、しかし、ねじ孔３１２と、固定柱３１３の取り付け位置は、この限りではない。図２Ａをあわせて参照する。さらに、上部シェル３１の一側にコネクター差し込み口３１４を設けており、コネクター差し込み口３１４は、コネクター（例えばＵＳＢ。図示しない）を有し、コネクターによって電気回路板３４と電気接続する。コネクター差し込み口３１４の内側及び／または外側の周辺部に防水フランジカーバー３１５を設けられている。好適な一実施例において、上部シェル３１の内部に若干の接触構成品（番号なし）を設けており、これらの構成品が本体シート１１外面に設けるプッシュ構造（図示しない）に合わせて設置し、電気刺激装置１を使用する際にオン・オフまたは調節操作に使用できる。本体シート１１がコネクター差し込み口３１４に対応して貫通口を設けられ、コネクター（例えばＵＳＢ）を挿接して使用に用いる。下部シェル３２に電源装置３３を収容するための下部収容空間３２１を有する。下部シェル３２の底部にわずかに突き出し状の当接リング面３２２を設け、電源装置３３は例えば、電池または充電池であり、操作モジュール３０の稼働などの電力を提供できる。コネクター差し込み口３１４に設けるコネクターを介して外付け充電することができる。電気回路板３４を電源装置３３の上方部に設けて、電気接続を形成し、電気回路板３４に電気刺激装置１の機能を発生するためのマイクロコントローラー、低周波電極駆動ユニット等複数の関連な電子素子（番号なし）を設けられている。電気回路板３４の４つのコーナー部にそれぞれ少なくとも一つのねじ通し孔３４１と、取り付け孔３４２を設ける。ただし、ねじ通し孔３４１と、取り付け孔３４２の取り付け位置は、この限りではない。
【００２８】
電気刺激モジュール４０をパッド２１の内面２１Ａに設ける。電気刺激モジュール４０は少なくとも２組の電極エリア４１を含む、一組の電極エリア４１が２つの対となる電極シートによって構成される。ただし、電極シートの形状は、この限りではない。いずれか一組の電極エリア４１は発生するパルス電流が正負電極シートを流れて構成され、好適な一実施例において、各電極シートを対とするか、または複数の電極シートより組み合わせても良い。電極シートの間はさらに電極接続シート４３によって接続しておく。当然ながら、対となるまたは複数の電極シートを一体型成形することが好ましい。図２に示すように、合計４組の電極シートの構成である。それらの電極シートは電導性銀ペーストまたはカーボンインク等、もしくはその他伝導性部材を印刷して導電性回路パッド２１の内面２１Ａに形成しても良い。さらに、いずれか一組の電極エリア４１をそれぞれ操作モジュール３０の縦方向中心線両側の対応位置に布設していて、かつ、それらの組となる電極エリア４１の間で縦方向に上下して配列した上、それらの組となる電極エリア４１の間の横方向中心線両側の対応位置に布設し、さらに、電極シートに突き出し状の電極ピン４２を形成され、電極ピン４２の縁部に位置決め孔４２１を設け、電極ピン４２が電気回路板３４に電気接続されている。
【００２９】
加熱モジュール５０がパッド２１の外面２１Ｂに設けていて、かつ、加熱モジュール５０は少なくとも２つの加熱エリア５１を含む。そのうち、それらの加熱エリア５１が導電ゴム層、炭素繊維またはヒーターシートより構成される。導電ゴム層は例えば銀ペーストを印刷して加熱回路縞を形成する。さらに、それらの加熱エリア５１を組となる電極エリア４１の位置に対応して設け、加熱エリア５１に突き出し状の正負２つの電極ピン５２を設ける。電極ピン５２のエッジ部に取り付け貫通孔５２１を設け、電極ピン５２と電気回路板３４と電気接続されている。加熱エリア５１に熱源エリア５３を有し、加熱される熱源を提供し、加熱温度はセ氏３５−４２度（＋−１０％範囲内）が好適である。加熱によって筋肉タンパク質を増殖させるとともに、筋肉運動訓練の効果を達成する。一方、加熱モジュール５０が温度センサー５４をさらに含む。温度センサー５４が検出端５４２を有し、検出端５４２が電気回路板３４と電気接続して、固定に接続される。温度センサー５４が検出プローブ５４１を有し、検出プローブ５４１が電極ピン５２（加熱エリア５１）の温度検出に用いられる。組み立てるときは、検出プローブ５４１をセンサー取り付けスロット１５内部に固定させる。
【００３０】
図５Ａを合わせて参照する。本考案の一枚型加熱機能を備えた電気刺激装置を組み付けるときは、２つの加熱エリア５１をパッド２１の外面２１Ｂに取り付けて、貫通エリア２２の両側に対向させ、電極ピン５２の取り付け貫通孔５２１を貫通エリア２２に貫通する。このように、ねじ３４３が電気回路板３４のねじ通し孔３４１を通して、上部シェル３１のねじ孔３１２に固定され、加熱エリア５１に設けた２つの電極ピン５２が電気接続されると同時に、電気回路板３４と電気接続させる。操作モジュール３０の縦方向に対応した加熱エリア５１が布設されている。さらに、取り付け貫通孔５２１外周面の電極ピン５２と、電気回路板３４との間に導電銅箔３４４をさらに布設していて、この場所の電極ピン５２の上方に導電パッド３４５を有し、導電パッド３４５がねじ孔３１２の柱体の外周部に位置し、電極ピン５２と、電気回路板３４とを緊密に固結させて、加熱する際の剥がれや分離を防止し、加熱使用の品質が確保される。
【００３１】
図５Ｂをあわせて参照する。電極エリア４１をパッド２１の内面２１Ａに取り付けて、貫通エリア２２の外輪部に対向させ、電極ピン４２の位置決め孔４２１を貫通エリア２２に挿入する。このように、上部シェル３１の固定柱３１３が電極ピン４２の位置決め孔４２１と、電気回路板３４の取り付け孔３４２を貫き、電極ピン４２との電気接続を形成するとともに、電気回路板３４に固定される。さらに、位置決め孔４２１の外輪部の電極ピン４２と、電気回路板３４との間に、導電ゴム３４７と、導電銅箔３４６とをさらに設けられ、導電銅箔３４６を電気回路板３４に取り付け、導電ゴム３４７を導電銅箔３４６に取り付けて、極めて良き安定した電気導通の設置を構成する。
【００３２】
引き続き、操作モジュール３０を貫通エリア２２に貫き、電極エリア４１をパッド２１の内面２１Ａに設けた上、操作モジュール３０の縦方向中心線の両側とも対応した電極エリア４１の設置となる。または少なくとも操作モジュール３０の４つの対応したエッジ部とも対称／対応に布設する電極エリア４１を構成し、図７に示すように、電極エリア４１で発生する低周波パルス電流に筋肉運動効果を奏する。
【００３３】
図６と、図７とをあわせて参照する。本考案の一枚型加熱機能を備えた電気刺激装置を組み立てるとき、上部シェル３１を本体シート１１の収容空間１２に内設し、かつ、上部シェル３１と、下部シェル３２を該電源装置３３と、電気回路板３４に収容した後、蓋閉めして固結し、電気刺激モジュール４０と、加熱モジュール５０とも操作モジュール３０（電気回路板３４）とを電気導通され制御を受ける。パッドモジュール２０（パッド２１）を本体シート１１に貼り付けて固定し、上部シェル３１と、下部シェル３２がそれぞれ互いに係合して固結するための弾性係合溝３１６と、係合ブロック３２３とを設け、組み合わせた後、下部シェル３２と、本体シート１１、パッド２１と、該上部シェル３１とを緊密に固結するとともに、下部シェル３２の当接リング面３２２をパッド２１、電気刺激装置１全体の組み立てを完了する。
【００３４】
本考案の一枚型加熱機能を備えた電気刺激装置を使用する際、電気刺激モジュール４０（電極エリア４１）を腹部または大腿部に接触して、腹筋または大腿筋に運動訓練が行える。加熱モジュール５０（加熱エリア５１）が体と直接に接触していない。すなわち、加熱モジュール５０（加熱エリア５１）が第１温度滞留エリア１３と、第２温度滞留エリア１４を隔てる状態で体に加熱することで、安全性と、利用面の快適性が向上される。
【００３５】
本考案の一枚型加熱機能を備えた電気刺激装置は前述した構成により、電気刺激装置に極めて良い電極シートの布設構成と、加熱による刺激補助機能に加えて、運動健身と、筋肉訓練の機能を果たし、利用に極めて良い実用性と、経済効果を有する。それに加えて、本考案の電気刺激装置において、加熱する加熱エリアが独立した構成と、安定の固結設計によって、安全性、実用性の利用効果を実現できる。
【００３６】
以上の具体的な実施例を用いて本考案を詳細説明しているが、本考案は、以上に取り上げた実施例に限らず、本考案の技術構想範囲に基づいて、それらの構造に対する変化および修飾もなお本考案の請求範疇に含めるものとする。
【符号の説明】
【００３７】
１    電気刺激装置
１０    本体モジュール
１１    本体シート
１１１    サイドバンド
１２    収容空間
１３    第１温度滞留エリア
１４    第２温度滞留エリア
１５    センサー取り付けスロット
２０    パッドモジュール
２１    パッド
２１Ａ    内面
２１Ｂ    外面
２２    貫通エリア
２３    取り付け孔
３０    操作モジュール
３１    上部シェル
３１１    上部収容空間
３１２    ねじ孔
３１３    固定柱
３１４    コネクター差込口
３１５    防水フランジカーバー
３１６    弾性係合溝
３２    下部シェル
３２１    下部収容空間
３２２    当接リング面
３２３    係合ブロック
３３    電源装置
３４    電気回路板
３４１    ねじ通し孔
３４２    取り付け孔
３４３    ねじ
３４４    導電銅箔
３４５    導電パッド
３４６    導電銅箔
３４７    導電ゴム
４０    電気刺激モジュール
４１    電極エリア
４２    電極ピン
４２１    位置決め孔
４３    電極接続シート
５０    加熱モジュール
５１    加熱エリア
５２    電極ピン
５２１    取り付け貫通孔
５３    熱源エリア
５４    温度センサー
５４１    センサーヘッド
５４２    センサー接続端
【図１】
0003224410.tif 000003
【図２】
0003224410.tif 000004
【図２Ａ】
0003224410.tif 000005
【図３】
0003224410.tif 000006
【図４】
0003224410.tif 000007
【図４Ａ】
0003224410.tif 000008
【図４Ｂ】
0003224410.tif 000009
【図５Ａ】
0003224410.tif 000010
【図５Ｂ】
0003224410.tif 000011
【図６】
0003224410.tif 000012
【図７】
0003224410.tif 000013
【手続補正書】
【提出日】令和1年10月28日(2019.10.28)
【手続補正１】
【補正対象書類名】実用新案登録請求の範囲
【補正対象項目名】請求項４
【補正方法】変更
【補正の内容】
【請求項４】
前記シェルの一側にコネクター差し込み口を設け、前記コネクター差し込み口の内側及び／または外側の縁部に防水フランジカーバーを設ける
ことを特徴とする、請求項２記載の一枚型加熱機能を備えた電気刺激装置。
【手続補正２】
【補正対象書類名】実用新案登録請求の範囲
【補正対象項目名】請求項６
【補正方法】変更
【補正の内容】
【請求項６】
前記それぞれ組となる電極エリアが対となる電極シートによって構成し、前記それぞれの電極シートが対または複数の電極シートによって構成する
ことを特徴とする、請求項５記載の一枚型加熱機能を備えた電気刺激装置。